(57)【要約】【課題】デジタルの画像データからのプリント注文受付処理を簡単にし、注文に要する時間を短縮するプリント注文システム及びプログラムを提供する。【解決手段】撮影画像の画像データが記録された画像記録媒体から画像データを読み込み、撮影画像のインデックス画像を表示したプリント注文用紙を出力するプリント注文受付手段と、注文内容が記録されたプリント注文用紙から、注文内容を取得する注文入力手段と、プリント注文受付手段から画像データを受け取るとともに、注文入力手段から注文内容を受け取り、注文内容に応じて画像データに対して画像処理を施す画像処理手段と、画像処理手段で処理された画像データをプリントとして出力するプリンタとを有するプリント注文システム、及び、注文用紙出力処理をコンピュータに実行させるプログラムを提供することにより、上記課題を解決する。【選択図】図１
2004126725.tif 000002
【特許請求の範囲】
【請求項１】
撮影画像の画像データが記録された画像記録媒体から前記画像データを読み込み、前記撮影画像のインデックス画像を表示したプリント注文用紙を出力するプリント注文受付手段と、
注文内容が記録された前記プリント注文用紙から注文内容を取得する注文入力手段と、
前記プリント注文受付手段から前記画像データを受け取るとともに、前記注文入力手段から前記注文内容を受け取り、前記注文内容に応じて前記画像データに対して画像処理を施す画像処理手段と、
前記画像処理手段で処理された画像データをプリントとして出力するプリンタとを有することを特徴とするプリント注文システム。
【請求項２】
撮影画像の画像データが記録された画像記録媒体から前記画像データを読み込み、前記撮影画像のインデックス画像を表示したプリント注文用紙を出力する注文用紙出力手段と、
前記画像記録媒体から画像データを読み込む画像データ取得手段と、
注文内容が記録された前記プリント注文用紙から注文内容を取得する注文入力手段と、
前記画像データ取得手段から前記画像データを受け取るとともに、前記注文入力手段から前記注文内容を受け取り、前記注文内容に応じて前記画像データに対して画像処理を施す画像処理手段と、
前記画像処理手段で処理された画像データをプリントとして出力するプリンタとを有することを特徴とするプリント注文システム。
【請求項３】
撮影画像の画像データが記録された画像記録媒体から前記画像データを読み込む工程と、前記撮影画像のインデックス画像を作成する工程と、前記インデックス画像を表示したプリント注文用紙を作成する工程と、前記作成したプリント注文用紙を出力する工程から成るプリント注文用紙出力処理をコンピュータに実行させるプログラム。
【発明の詳細な説明】
【０００１】
【発明の属する技術分野】
本発明は、プリント注文システム及びプログラムに係り、特に、デジタルカメラ等で撮影して得られたデジタル画像データからのプリント作成の注文をするプリント注文システム、並びに、そのプリント注文に用いられる注文用紙の作成及び出力処理をコンピュータに実行させるプログラムに関する。
【０００２】
【従来の技術】
昨今、デジタルスチルカメラ（以下、デジタルカメラとする）の普及に伴い、デジタルカメラで撮影された画像からの写真プリント（以下、単にプリントとする）の注文が多くなってきている。デジタルカメラで撮影された画像の注文は、撮影画像データが記録された画像記録媒体を顧客がＤＰＥ店等に持ち込み、オペレータが、顧客の指定した画像の画像データをフォトプリンタ等に取り込んでプリント作成処理に供する方法のほかに、ＤＰＥ店等に設置されたプリント注文受付装置によって、顧客が自分でプリント注文画像の指定やプリント枚数の指定等を行う方法がある。また、顧客が自宅のパソコン等を用いて、プリントしたい画像データとプリント枚数やプリントサイズ等の注文内容をインターネット等の通信手段によってＤＰＥ店等に送信し、プリントを注文する方法もある。
【０００３】
店頭に設置され、顧客が自ら操作するプリント注文受付装置は、顧客が画像記録媒体を挿入するとその画像記録媒体に記録されている画像データを読み出し、ディスプレイに表示する。顧客はディスプレイに表示された画像を見てプリント注文する画像を選択し、プリント枚数やプリントサイズ等の必要事項を入力して、プリントの注文を行う。プリント注文受付装置が取得した画像データや注文内容は、大容量の記録媒体に記録され、この大容量記録媒体が回収されてラボ等でのプリント処理に供されるか、ＬＡＮ等のネットワークを介してラボ等のフォトプリンタ等へ送信される。
【０００４】
また、顧客のパソコン等から画像データや注文内容を送信する場合には、プリントサービス業者等がインターネット上に提供しているプリント注文のページ等から注文を行う。顧客は、パソコンのディスプレイに表示した撮影画像の中からプリント注文する画像を選択してアップロードし、プリント注文のページにアップロードされた画像を確認しながら注文内容を入力して送信する等の方法が行われている。
【０００５】
一方、ネガフィルムからのプリント注文受付方法として、ネガフィルムに撮影された画像をデジタル化してラボのサーバコンピュータに保管すると共に、プリント注文期限に関する情報が記されたインデックス画像（インデックスプリント）を顧客に提供することで、顧客がこのインデックスプリントを参照し、ネットワークを介して、あるいはＦＡＸ等によってプリント注文できる注文受付方法も提案されている（例えば、特許文献１参照。）。
【０００６】
【特許文献１】
特開２０００−１４７６８４号公報
【０００７】
【発明が解決しようとする課題】
しかしながら、プリント注文受付装置のディスプレイに表示される画像は、画像の概略が判別できる程度に大きくなければならないため、表示できる画像数が限られている。そのため、画像記録媒体に非常に多くの画像が入力されていた場合には、ディスプレイの表示を次々に切り替えて画像を確認し、プリントする画像を選ばなければならないが、この作業は大変煩わしく時間も掛かるという問題がある。また、このような装置の入力手段にはタッチパネル、タッチペン等が用いられることが多いが、これらの操作に慣れていない人にとっては困難な作業となり更に時間が掛かる。そしてその間、他の客を待たせることになる。また、インターネット上の注文ページで注文を行う場合も、パソコン等のディスプレイに表示される画像数に限りがあり、多くの画像からの選択が大変煩わしい。
【０００８】
ＤＰＥ店等でオペレータが注文を受け付ける形態では、顧客は画像記録媒体を持ち込むだけでよく、入力操作をしないため、キーボードやマウス、タッチパネル、タッチペン等の操作器具に慣れていない人でも不便を感じることなく注文できる。しかし、オペレータは、画像を１つ１つ確認しながら顧客の注文を聞き、注文内容を入力していかねばならず作業負担が大きい。また、１人の顧客の注文を受け付けている間、他の顧客を待たせなければならない。
【０００９】
また、特許文献１に提案されている注文受付方法は、ネガフィルムから画像データを取得するものであるため、ネガフィルムの読み取りやインデックスプリントの作成をオペレータの操作で行わなければならず、オペレータの作業負担が大きいという問題があった。
【００１０】
本発明の目的は、上記従来技術の問題点を解消し、デジタルの画像データからのプリント注文受付処理を簡単にし、注文に要する時間を短縮するプリント注文システム及びプログラムを提供することにある。
【００１１】
【課題を解決するための手段】
上記目的を達成するために、本発明は、撮影画像の画像データが記録された画像記録媒体から前記画像データを読み込み、前記撮影画像のインデックス画像を表示したプリント注文用紙を出力するプリント注文受付手段と、注文内容が記録された前記プリント注文用紙から注文内容を取得する注文入力手段と、前記プリント注文受付手段から前記画像データを受け取るとともに、前記注文入力手段から前記注文内容を受け取り、前記注文内容に応じて前記画像データに対して画像処理を施す画像処理手段と、前記画像処理手段で処理された画像データをプリントとして出力するプリンタとを有することを特徴とするプリント注文システムを提供するものである。
【００１２】
また、本発明は、撮影画像の画像データが記録された画像記録媒体から前記画像データを読み込み、前記撮影画像のインデックス画像を表示したプリント注文用紙を出力する注文用紙出力手段と、前記画像記録媒体から画像データを読み込む画像データ取得手段と、注文内容が記録された前記プリント注文用紙から注文内容を取得する注文入力手段と、前記画像データ取得手段から前記画像データを受け取るとともに、前記注文入力手段から前記注文内容を受け取り、前記注文内容に応じて前記画像データに対して画像処理を施す画像処理手段と、前記画像処理手段で処理された画像データをプリントとして出力するプリンタとを有することを特徴とするプリント注文システムを提供するものである。
【００１３】
また、本発明は、撮影画像の画像データが記録された画像記録媒体から前記画像データを読み込む工程と、前記撮影画像のインデックス画像を作成する工程と、前記インデックス画像を表示したプリント注文用紙を作成する工程と、前記作成したプリント注文用紙を出力する工程から成るプリント注文用紙出力処理をコンピュータに実行させるプログラムを提供するものである。
【００１４】
【発明の実施の形態】
以下、本発明のプリント注文システム及びプログラムについて、添付の図面に示される好適実施例をもとに詳細に説明する。
【００１５】
図１に、本発明に係るプリント注文システムの一実施例の概略構成を示す。
同図に示すプリント注文システム１０は、店頭受付装置１２と、注文入力装置１４と、画像処理装置１６と、プリンタ１８とを有する。プリント注文システム１０は、ＤＰＥ店等に設置された店頭受付装置１２によって顧客からのプリント注文を受け付けて、注文内容を記入するプリント注文用紙Ｓ（以下、単に注文用紙Ｓとする）を出力し、ＤＰＥ店等に設置された注文入力装置１４によって注文用紙Ｓに記入された注文内容を取得して、画像処理装置１６で画像データに画像処理を施し、プリンタ１８から注文に応じたプリントを出力するものである。
【００１６】
店頭受付装置１２はプリント注文受付手段であり、顧客の画像記録媒体Ｄから画像データを取得して画像処理装置１６に出力すると共に、読み込んだ画像データがインデックス画像として記録された注文用紙Ｓを出力する。画像記録媒体Ｄとしては、例えばデジタルカメラに装填可能なＰＣカードやスマートメディア（登録商標）、メモリースティック、ＩＣカード等、あるいは、フレキシブルディスク（ＦＤ）、ＺｉｐＴＭ等の磁気ディスク、ＣＤ−Ｒ等の光ディスク、光磁気ディスク（ＭＯ）等の各種の記録媒体が使用される。店頭受付装置１２には、これらの画像記録媒体Ｄに対応するドライバが備えられている。
【００１７】
注文用紙Ｓには、注文する画像の選択が素早く簡単にできるように、上述のようにインデックス画像が記録されている。これは、近年、同時プリント時に提供されているインデックスプリントのように、画像の概略が判別できる程度に前記画像データを簡素化した小さいサイズのサムネイル画像を、複数、所定の形態に配置して記録したものである。更に、注文用紙Ｓには、各インデックス画像に対しそれらの画像識別記号が記録され、且つ、注文枚数や注文サイズ等の注文に関する項目の記入欄が設けられている。画像識別記号は、注文用紙Ｓに記録された画像と画像記録媒体Ｄに記録された画像を対応付けるものであり、プリント作成時には、これを用いてプリント注文のあった画像に対してプリント作成処理が行われる。
図２（Ａ）及び（Ｂ）に、注文用紙Ｓの例を示す。
【００１８】
注文用紙Ｓの表示形態としては、例えば図２（Ａ）に示すように、画像表示欄Ｓ１の直下に画像識別記号欄Ｓ２及び注文事項記入欄Ｓ３を設けてもよいし、図２（Ｂ）に示すように、画像表示領域Ｓ４と、それに対応する画像識別記号及び注文事項記入領域Ｓ５とを分けて表示してもよい。図２（Ａ）の形態の場合には注文事項を記入する際の記入欄と画像との対応が取り易く、図２（Ｂ）の形態の場合には後述する注文入力装置１４において注文事項を読み取る際に、画像識別記号及び注文事項記入領域Ｓ５のみを読み取ればよいという、夫々の利点がある。なお、注文用紙Ｓに記録されるインデックス画像の画質は、画像の概略が判別できる程度のものでもよく、カラー画像でもモノクロ画像でもよい。画像識別記号は、文字、記号、バーコード等の符号等により記録される。
【００１９】
店頭受付装置１２には、このような注文用紙Ｓの出力手段が備えられている。注文用紙Ｓの出力手段としては、インクジェットプリンタやレーザープリンタ等、カラーまたはモノクロの各種のプリンタが使用可能であるが、記録スピードの速いものが好ましい。注文用紙Ｓの用紙は普通紙や感熱紙等、出力手段に応じた紙等を用いればよい。また、注文用紙Ｓのサイズは、写真のＬ版やインデックスプリントのシートサイズ程度のもの、Ａ４版程度のものなどを適宜設定し、それに応じて表示形態（表示画像数や配置等）も設定されればよい。
【００２０】
注文入力装置１４は、店頭受付装置１２から出力され、顧客によって注文事項が記入された注文用紙Ｓから注文内容を取得するもので、注文用紙Ｓの画像識別記号及び注文事項等を自動的に読み取る読取手段２０及び注文用紙Ｓに記録された内容をオペレータが手入力するための入力手段２２の一方または両方を有する。読取手段２０としては、ＯＣＲ等の文字読取装置、及び画像識別記号の記録方法に応じてバーコードスキャナ等が用いられる。また、入力手段２２としては、キーボードやマウス等の公知の入力手段が用いられる。
【００２１】
画像処理装置１６は、店頭受付装置１２から入力された画像データを受け取って所定期間保持すると共に、注文入力装置１４から入力された注文内容を受け取って、画像識別記号によりプリント注文のあった画像を選び出し、その画像データに対して画像処理を施し、注文内容に応じたプリントを出力するための出力用画像データとして、プリンタ１８に出力する。
【００２２】
プリンタ１８は、画像処理装置１６から出力された画像データに応じて変調した光ビームで感光材料（印画紙）を走査露光して画像（潜像）を記録し、現像処理を施して仕上がりプリントＰとして出力する、いわゆるデジタルフォトプリンタが好適に利用される。
【００２３】
以下、プリント注文システム１０の作用について説明する。
顧客が、デジタルカメラ等による撮影画像データが記録された画像記録媒体Ｄを店頭受付装置１２に挿入すると、店頭受付装置１２は、画像記録媒体Ｄに記録された画像データを全て読み込んで、画像処理装置１６に出力する。また、読み込んだ画像データのインデックス画像を所定の用紙に記録して注文用紙Ｓとして出力する。全画像を１枚の注文用紙Ｓに配置できないときは、複数枚の注文用紙Ｓを出力する。
【００２４】
画像記録媒体Ｄに非常に多くの画像データが記録されていても、顧客がプリント注文したいのはそのうちの僅か数個の画像のみという場合もある。その場合、全ての画像のインデックス画像を記録して注文用紙を出力するのは、注文用紙Ｓを出力する処理時間が長くなり、注文用紙Ｓの用紙の無駄も多くなる上に、顧客がプリント注文する画像を選択するのにも紛らわしくなる。そこで、注文用紙Ｓの出力に際して、全画像を記録することのほかに、指定した撮影日（あるいは撮影期間）のものだけ記録したり、新しいものから所定数だけ記録したり、画像データに既にプリント注文したという記録のあるものは注文用紙Ｓに記録しないようにすること等を、顧客が選択できるようにするのも好ましい。また、このような選択を、店頭受付装置１２が画像記録媒体Ｄから画像データを読み込む際に行うようにし、不必要な画像データは画像処理装置１６へも出力しないようにして、画像処理装置１６に記憶させるデータ量を軽減するのも好ましい。
【００２５】
店頭受付装置１２から注文用紙Ｓが出力されると、顧客はこの注文用紙Ｓを受け取って、店頭受付装置１２を離れることができ、次の顧客が店頭受付装置１２を使用することができる。すなわち、１人の顧客が店頭受付装置１２を占有する時間は、店頭受付装置１２が画像記録媒体Ｄから画像データを読み込み、注文用紙Ｓを出力するのに要する処理時間のみで、顧客のプリント注文に関する入力等の作業が行われないため、非常に短く、他の顧客の待ち時間が短縮される。
注文用紙Ｓを受け取った顧客は、注文用紙Ｓに記録されたインデックス画像を確認して注文する画像を選択し、注文用紙Ｓに注文事項を記入してオペレータ等に渡す。顧客が記入済み注文用紙Ｓをオペレータ等に渡すと、顧客のプリント注文手続きは完了する。
なお、画像処理装置１６が、画像データを保存している間であれば、顧客は注文用紙Ｓを一旦持ち帰って記入し、記入済みの注文用紙を持って再び来店して注文することもできる。
【００２６】
記入済み注文用紙Ｓを受け取ったオペレータは、その場で注文入力装置１４の読取手段２０から注文用紙Ｓの注文内容を入力する。あるいは、オペレータが入力手段２２を用いて手動で入力するようにしてもよい。注文入力装置１４の読取手段２０あるいは入力手段２２から入力された注文内容は画像処理装置１６に送られる。注文内容の入力が済むと、注文用紙Ｓは顧客に返却され、注文の控えとして仕上がりプリントの受け取りの際に用いるようにしてもよい。
【００２７】
画像処理装置１６は、注文入力装置１４から入力された注文内容を受け取り、注文のあった画像の画像データに対して、プリント出力用の画像データとするための各種の画像処理を施す。この時、注文に応じたサイズで出力するための処理も施され、注文枚数分の画像データがプリンタ１８に出力される。プリンタ１８は、受け取った画像データからプリントＰを作成して出力する。
【００２８】
このように、プリント注文システム１０によれば、顧客がプリント注文に際して行うのは、基本的に、画像記録媒体Ｄを店頭受付装置１２に挿入することと、注文用紙Ｓに記録されたインデックス画像を見ながら注文する画像を選択し、注文内容を記入するという極簡単な作業のみであり、プリント注文受付装置で画面を切り替えながら画像選択を行う場合のような煩わしい操作が無く、タッチパネル等の操作に慣れていない顧客でも短時間で簡単にプリントの注文をすることができる。また、画像データのインデックス画像が即時に記録され、注文用紙Ｓとして出力されるので、１人の顧客の店頭受付装置１２の占有時間が短く、顧客の待ち時間が短縮される。更に、顧客は、注文用紙Ｓによって一度に多くの撮影画像を閲覧し、プリント注文する画像を簡単に判断することができる。
なお、顧客には別途注文の控え（プリント引換証）を渡し、注文用紙Ｓは、注文内容の控えとしてＤＰＥ店等で預かり、仕上がりプリントの照合に用いてもよい。
【００２９】
また、読取手段２０によって自動的に注文用紙Ｓの注文内容を読み取る場合には、オペレータの作業負担が大幅に軽減される。入力手段２２によって注文内容を入力する場合でも、オペレータは、定型の注文用紙に記入された注文事項記入領域（図２（Ａ）のＳ２及びＳ３、または図２（Ｂ）のＳ５）の情報を取得すればよいので、従来のように、画像を１つ１つ確認しながら顧客の注文を聞き、注文内容を入力していく方法に比べて、作業が簡単になる。
【００３０】
なお、店頭受付装置１２において、注文用紙Ｓのほかに、注文事項入力欄の無い、インデックス画像の画質が比較的良好な、商品としてのインデックスプリントも出力可能な形態とし、顧客がその出力を選択可能としてもよい。
【００３１】
また、注文用紙Ｓの用紙として、普通紙や感熱紙等のほかに、電子ペーパーを利用するのも好ましい。この場合、店頭受付装置１２には、電子ペーパー用の記録手段が備えられ、読取手段２０には、電子ペーパー用の読取手段が備えられる。また、電子ペーパーへの注文事項の記入は電子ペーパー用の記入手段（タッチペン等）が用いられる。このように電子ペーパーを使用した場合には、注文用紙Ｓに記録されたデータを消去し、再び記録することができるので、注文用紙Ｓを繰り返し使用できる。
【００３２】
次に、本発明のプリント注文システムの他の実施例、及びプログラムについて、図３を参照して説明する。
図３に示すプリント注文システム３０は、顧客の家庭等に設置される注文用紙出力手段４０と、ＤＰＥ店等に設置される画像データ取得手段３２、注文入力装置３４、画像処理装置３６及びプリンタ３８とを有して構成される。プリント注文システム３０は、顧客が、顧客の家庭や職場等に設置された注文用紙出力手段４０によって注文用紙Ｓを出力し、注文用紙Ｓと共に画像記録媒体ＤをＤＰＥ店等に持参してプリント注文すると、ＤＰＥ店等に設置された画像データ取得手段３２で画像データを取得し、注文入力装置３４で注文内容を取得して、画像処理装置３６で画像データに処理を施し、プリンタ３８から注文に応じたプリントを出力するものである。
【００３３】
注文用紙出力手段４０は、先の実施例における店頭受付装置１２と同様に、画像記録媒体Ｄから画像データを読み込み、読み込んだ画像データからインデックス画像を作成し、所定の形態に配置して記録した注文用紙Ｓを出力する。顧客が家庭等で用いる注文用紙出力手段４０としては、プリンタ内蔵デジタルスチルカメラ（ＤＳＣ）４２、プリンタ内蔵クレードル４４、フォトプリンタ４６及びＰＣ接続プリンタ４８等が好適に例示される。プリンタ内蔵ＤＳＣ４２は、装着された画像記録媒体Ｄから画像データを読み出してプリントを出力する。プリンタ内蔵クレードル４４は、デジタルカメラがセットされると、デジタルカメラに装着されている画像記録媒体Ｄから画像データを読み出してプリントを出力する。フォトプリンタ４６は、挿入された画像記録媒体Ｄから画像データを読み出してプリントを出力する。また、ＰＣ接続プリンタ４８は、パソコン（ＰＣ）に接続されたプリンタであり、ＰＣからの指示によりＰＣに挿入された画像記録媒体Ｄから画像データを読み出してプリントを出力する。これらの注文用紙出力手段４０には、インクジェットプリンタやレーザープリンタ等、カラーまたはモノクロの各種のプリンタの何れかが利用されている。また、プリンタ内蔵ＤＳＣ４２、プリンタ内蔵クレードル４４及びフォトプリンタ４６には、所定のプログラムを実行するマイクロコンピュータが搭載されている。
【００３４】
このような各種の注文用紙出力手段４０から注文用紙Ｓを出力させるには、そのためのプログラム（注文用紙出力プログラム）が各装置に予め設定されているか、新たに設定される必要がある。新たに設定する場合には、図２（Ａ）または（Ｂ）に示すような、画像データのインデックス画像及び注文事項の記入欄が配置された注文用紙を出力させるための注文用紙出力プログラムが、このプログラムが記録された記録媒体Ｍによって注文用紙出力手段４０の各装置にインストールされる。記録媒体Ｍは、ＣＤ、ＦＤ、ＰＣカード、スマートメディア（登録商標）等の記録媒体であり、注文用紙出力手段４０の各装置に直接挿入されるか、間接的に接続されて、記録されているプログラムが読み出される。このような記録媒体Ｍは、プリントサービス提供者等から配給される。なお、注文用紙出力プログラムがインターネット等により配給され、これらの各装置にインストールされてもよい。
【００３５】
画像記録媒体Ｄとしては、上述の例と同様の各種の記録媒体が使用される。また、注文用紙Ｓの表示形態やサイズは、基本的に上述の例と同様であるが、プリンタ内蔵ＤＳＣ４２あるいはプリンタ内蔵クレードル４４の場合は出力できる用紙サイズに制限があるので、それに応じたサイズ及び表示形態（表示画像数や配置等）とする。注文用紙Ｓの用紙は普通紙や感熱紙等、出力手段に応じた紙等を用いればよい。
【００３６】
ＤＰＥ店等に設置された画像データ取得手段３２は、顧客が持参した画像記録媒体Ｄから画像データを取得して画像処理装置３６に出力する。画像データ取得手段３２には、上記各種の画像記録媒体Ｄに対応するドライバが備えられている。
【００３７】
注文入力装置３４は、図１のプリント注文システム１０の注文入力装置１４に相当するもので、顧客が持参した、注文事項が記入済みの注文用紙Ｓから注文内容を取得する。注文入力装置３４は、注文用紙Ｓの画像識別記号及び注文事項等を自動的に読み取る読取手段５０及び注文用紙Ｓに記録された内容をオペレータが手入力するための入力手段５２の一方または両方を有する。読取手段５０は読取手段２０と同様のものであり、ＯＣＲ等が利用される。また、入力手段５２は入力手段２２と同様のものであり、キーボードやマウス等の公知の入力手段が用いられる。
【００３８】
画像処理装置３６及びプリンタ３８は、図１のプリント注文システム１０の画像処理装置１６及びプリンタ１８とそれぞれ同様の装置である。画像処理装置３６は、画像データ取得手段３２から出力された画像データに対し、注文入力装置３４から出力された注文内容に応じた画像処理を施し、プリント出力用の画像データとしてプリンタ３８に出力する。プリンタ３８は、この出力用画像データによってプリント作成処理を行い、プリントＰを出力する。
【００３９】
以下、プリント注文システム３０の作用について説明する。
まず顧客は、顧客の家庭や職場等に設置された注文用紙出力手段４０の何れかの装置を用いて注文用紙Ｓを出力する。具体的には、デジタルカメラ等による撮影画像データが記録された画像記録媒体Ｄを注文用紙出力手段４０のフォトプリンタ４６またはＰＣ接続プリンタ４８に挿入するか、画像記録媒体Ｄが装着されたデジタルカメラをプリンタ内蔵クレードル４４にセットするか、あるいは画像記録媒体Ｄが装着されたプリンタ内蔵ＤＳＣ４２に所定の操作をすると、これらの注文用紙出力手段４０の各装置は、画像記録媒体Ｄに記録された画像データを全て読み込んで、読み込んだ画像データのインデックス画像を記録した注文用紙Ｓを出力する。全画像を１枚の注文用紙Ｓに配置できないときは、複数枚の注文用紙Ｓを出力する。
【００４０】
なお、本実施例においても、注文用紙Ｓの出力に際して、必ずしも注文用紙Ｓに全画像を記録する必要は無く、指定した撮影日（あるいは撮影期間）のものだけ記録したり、新しいものから所定数だけ記録したり、あるいは画像データに既にプリント注文したという記録のあるものは注文用紙Ｓに記録しないようにすること等を選択できるようにするのも好ましい。
また、注文用紙Ｓのほかに、注文事項入力欄の無い、インデックス画像の画質が比較的良好な通常のインデックスプリントの出力も選択可能な形態としてもよい。
【００４１】
注文用紙出力手段４０から注文用紙Ｓが出力されると、顧客はこの注文用紙Ｓに記録されたインデックス画像を見ながら注文すべき画像を選択して、注文事項を記入する。
次に、顧客は、記入済みの注文用紙Ｓと画像記録媒体Ｄを持ってＤＰＥ店等に出向き、オペレータに注文用紙Ｓと画像記録媒体Ｄを渡す。これにより、顧客のプリント注文手続きは完了する。この時、注文用紙Ｓに出力されたインデックス画像と、画像記録媒体Ｄに記録されている画像とは、画像識別記号により対応が付いており、注文用紙Ｓを出力した後、画像記録媒体Ｄのデータが書き換えられたり消去されていないものとする。
【００４２】
オペレータは、記入済みの注文用紙Ｓと画像記録媒体Ｄを受け取ると、画像データ取得手段３２によって画像記録媒体Ｄに記録された画像データを取得し、注文入力装置３４の読取手段５０で注文用紙Ｓの注文内容を読み取るか、あるいは、オペレータが入力手段５２によって入力する。画像データ取得手段３２から入力された画像データ、及び、注文入力装置３４から入力された注文内容は画像処理装置３６に送られる。
なお、画像データ取得手段３２が画像記録媒体Ｄから画像データを読み込む際に、読み込む画像データを上述のように限定して、不必要な画像データは画像処理装置３６へも出力しないようにするのも好ましい。
【００４３】
画像処理装置３６は、注文入力装置３４から入力された注文内容を受け取り、注文のあった画像の画像データに対してプリント出力用の画像データとするための各種の画像処理を施してプリンタ３８に出力する。プリンタ３８は、受け取った画像データからプリントＰを作成し、注文に応じたサイズ及び枚数のプリントＰを出力する。
【００４４】
このように、プリント注文システム３０によれば、プリント注文受付装置での画像選択操作の煩わしさが無い。また、注文用紙Ｓに記録されたインデックス画像によって一度に多くの撮影画像を閲覧し、プリント注文する画像を簡単に判断することができる。更に、顧客の自宅等で注文用紙Ｓを出力し記入した後にＤＰＥ店等へ持ち込んで注文するので、店頭の受付装置での顧客の待ち時間が無くなる。
【００４５】
以上、本発明のプリント注文システム及び記録媒体について詳細に説明したが、本発明は上記実施例に限定されず、本発明の趣旨を逸脱しない範囲において、種々の改良や変更を行ってもよいのはもちろんである。
【００４６】
【発明の効果】
以上詳細に説明したように、本発明のプリント注文システム及びプログラムによれば、デジタルの画像データからのプリント注文に際し、まず、画像記録媒体等に記録された全画像のインデックス画像を記録した注文用紙を出力し、注文用紙に記録されたインデックス画像により注文する画像を選択するようにしたため、受付装置等においてプリント注文する画像を選択する際の、タッチパネルやタッチペン、マウスやキーボード等を使用した煩わしい操作が不要となる。また、受付装置等の使用時間も短くなり、他のユーザの待ち時間が短縮される。更に、注文用紙に記録されたインデックス画像によって、一度に多くの撮影画像を確認できるので、プリント注文する画像を簡単に判断することができ、プリント注文を素早く簡単に行うことが可能となる。
【図面の簡単な説明】
【図１】本発明のプリント注文システムの一実施例の概略構成図である。
【図２】プリント注文用紙の表示形態の例を示す概念図である。
【図３】本発明のプリント注文システムの別の例の概略構成図である。
【符号の説明】
１０　プリント注文システム
１２　店頭受付装置
１４　注文入力装置
１６　画像処理装置
１８　プリンタ
２０　読取手段
２２　入力手段
３０　プリント注文システム
３２　画像データ取得手段
３４　注文入力装置
３６　画像処理装置
３８　プリンタ
４０　注文用紙出力手段
４２　プリンタ内蔵ＤＳＣ
４４　プリンタ内蔵クレードル
４６　フォトプリンタ
４８　ＰＣ接続プリンタ
５０　読取手段
５２　入力手段
Ｍ　記録媒体
Ｄ　画像記録媒体
Ｓ　注文用紙
Ｓ１　画像表示欄
Ｓ２　画像識別記号欄
Ｓ３　注文事項記入欄
Ｓ４　画像表示領域
Ｓ５　画像識別記号及び注文事項記入領域
【図１】
2004126725.tif 000003
【図２】
2004126725.tif 000004
【図３】
2004126725.tif 000005